(57)【要約】【課題】エアーフィルターを始めとする複数のメンテナンス箇所に関して、それぞれ簡単にメンテナンスすることができる床下取付形給気送風装置を得る。【解決手段】下点検口の下方に設置され、内部に給気経路を形成する本体箱体２０と、給気経路に設けられ給気経路内の給気の移動を行う送風機２５と、給気経路を横断するように設けられ給気経路を流通する給気を濾過するフィルター装置１０と、電気配線及び電機配線接続部を収納する電気配線接続ボックス３０とを備え、送風機２５のメンテナンス部分、フィルター装置１０及び電気配線接続ボックス３０は、本体箱体２０の床下点検口に対向する天板上面２１の床下点検口の内側の領域に着脱自在に設けられている。【選択図】        図５
2008309356.tif 000002
【特許請求の範囲】
【請求項１】
建物の床下空間に設置されて屋外から吸引した給気を室内へ供給する床下取付形給気送風装置であって、
床面に形成された床下点検口の下方に設置され内部に給気経路を形成する本体箱体と、
前記給気経路に設けられ当該給気経路内の給気の移動を行うとともに、メンテナンス部分が前記本体箱体から着脱自在とされた送風機と、
前記給気経路を横断するように設けられ当該給気経路を流通する給気を濾過するとともに、前記本体箱体から着脱自在とされたフィルター装置と、
電気配線を収納するとともに、前記本体箱体から着脱自在とされた電気配線接続ボックスとを備え、
前記送風機の前記メンテナンス部分、前記フィルター装置及び前記電気配線接続ボックスは、前記本体箱体の前記床下点検口に対向する天板上面の前記床下点検口の内側の領域に着脱自在に設けられている
ことを特徴とする床下取付形給気送風装置。
【請求項２】
発泡断熱材料にて作製され前記本体箱体内に収納され上下方向に２分割されて内部に前記給気経路を形成する断熱構造体をさらに備えた
ことを特徴とする請求項１に記載の床下取付形給気送風装置。
【請求項３】
前記本体箱体の清掃するための清掃用開口を覆うとともに、前記本体箱体の前記床下点検口に対向する天板上面の前記床下点検口の内側の領域に係合止め構造により着脱自在に設けられ、主面に前記フィルター装置が挿入されるフィルター挿入口が開口されたメンテナンスカバーをさらに備えた
ことを特徴とする請求項１または２に記載の床下取付形給気送風装置。
【請求項４】
前記メンテナンスカバーを前記本体箱体に固定する前記係合止め構造が、回転式クランプである
ことを特徴とする請求項３に記載の床下取付形給気送風装置。
【請求項５】
前記断熱構造体は、前記給気経路に前記フィルター装置を保持するフィルター保持溝を形成するとともに、前記フィルター保持溝の上流側にドレイン皿状の保水構造を形成している
ことを特徴とする請求項４に記載の床下取付形給気送風装置。
【請求項６】
前記本体箱体は、概略箱状を成し開口部にフランジ部を有する鋼板製の下部箱体と、前記開口部を閉塞するとともに前記天板上面を有する上部天板とから構成されている
ことを特徴とする請求項１から５のいずれか１項に記載の床下取付形給気送風装置。
【発明の詳細な説明】
【技術分野】
【０００１】
本発明は、建物の床下空間に設置されて屋外から吸引した給気を室内へ供給する床下取付形給気送風装置に関するものであって、特にメンテナンスを容易とする床下取付形給気送風装置に関するものである。
【背景技術】
【０００２】
給気または給排気によって室内の空気を換気する換気装置には、例えば天井裏空間に設置されるものがある。こうした換気装置には室内へ供給する空気を浄化するエアーフィルターが設けられているものがある。そして、この種の従来技術は、例えば、特許文献１，２に開示されている。また、床下に設置する床下空調対応送風機に関するものでは、特許文献３に示すようなものがある。
【０００３】
【特許文献１】特開平０９−２０３５４７号公報
【特許文献２】特開平１０−２６７３７３号公報
【特許文献３】特開平０７−２６９９１６号公報
【発明の開示】
【発明が解決しようとする課題】
【０００４】
従来のこの種の天井埋込型空調換気装置は、空気を浄化するエアーフィルターや熱交換器が換気装置に内蔵されている。そして、本体部分である換気装置は、天井裏の空間に設置されている。換気装置の設置箇所の天井面には、換気装置のメンテナンスのための点検口が設けられている。清掃等、比較的高頻度のメンテナンスを必要とするエアーフィルターについても、天井に点検口を開けてメンテナンス可能とされており、エアーフィルターは、この点検口を介して着脱自在とされている。こうした点検口は、一般に高所にありこれを開閉するのには脚立等を必要とする。そして、脚立上での作業は不安定であり、不安定な状態で狭隘な天井裏空間に設置された換気装置の点検口も開閉しなくてはならない。このように、エアーフィルターのメンテナンスは容易なものではなく、専門業者に依頼することになりがちである。
【０００５】
また、点検口を覆う点検蓋を固定する止め具は一般に着脱自在に設けられており、不注意で落下させてしまうことがある。そのため、点検蓋を取り外す際には、注意が必要である。このような煩わしさから、エアーフィルターのメンテナンスは、ないがしろにされることが多く、塵埃付着により給気風量の低下を招くこともある。エアーフィルターの汚れは、給気風量の低下のみならず、エアーフィルターに付着した細菌やカビ等を給気流に乗せて室内へばら撒くことにもなり、室内を不衛生な環境にしてしまいかねない。
【０００６】
また、給気用のダクト内にも長く使っていると汚れが付着する。ダクト内の清掃は特殊作業で、例えば微細なビーズを高速気流でダクト内を搬送させる方法等が実用化されているが、高価に付き一般には普及していない。また、送風機部分の羽根に付着した埃の除去やモーター交換などのメンテナンスは、点検蓋を取り外して、熱交換器を取外した後に点検口から行なう必要があり、この際には、熱交換器が作業の邪魔になる。
【０００７】
また、防虫網を備えたものに関しては、一般に防虫網は左右引き出し式のものが多いが、点検口の設置場所によっては天井の点検口から手探りの作業となることある。また、防虫網を上下方向の引き出し式としたものにおいては、エアーフィルターに付着した埃や虫などが落下してくる恐れもある。
【０００８】
また、床下に設置するタイプの床下空調対応送風機に関しては、メンテナンス性を改善するものとして特に提案はされてない。
【０００９】
本発明は、上記した課題を解決するためになされたものであり、その目的とするところは、エアーフィルターを始めとする複数のメンテナンス箇所に関して、それぞれ簡単にメンテナンスすることができる床下取付形給気送風装置を得ることである。
【課題を解決するための手段】
【００１０】
上述した課題を解決し、目的を達成するために、本発明の床下取付形給気送風装置は。建物の床下空間に設置されて屋外から吸引した給気を室内へ供給する床下取付形給気送風装置であって、床面に形成された床下点検口の下方に設置され、内部に給気経路を形成する本体箱体と、給気経路に設けられこの給気経路内の給気の移動を行うとともに、メンテナンス部分が本体箱体から着脱自在とされた送風機と、給気経路を横断するように設けられこの給気経路を流通する給気を濾過するとともに、本体箱体から着脱自在とされたフィルター装置と、電気配線及び電機配線接続部を収納するとともに、本体箱体から着脱自在とされた電気配線接続ボックスとを備え、送風機のメンテナンス部分、フィルター装置及び電気配線接続ボックスは、本体箱体の床下点検口に対向する天板上面の床下点検口の内側の領域に着脱自在に設けられていることを特徴とする。
【発明の効果】
【００１１】
本発明によれば、比較的高頻度のメンテナンスを必要とするフィルター装置を室内の床下点検口真下の手の届く所に設置する給気送風装置の上面に着脱可能に収納したので、容易かつ簡単にフィルター装置のメンテナンスを行うことができる。これにより、給気風量の低下や室内が細菌やカビ等で不衛生な環境になることを抑制することができる。また、送風機や電気配線接続ボックスのメンテナンス部分も給気送風装置の上面に着脱可能に収納したので、１つの床下点検口から、フィルター装置、送風機及び電気配線接続ボックスのメンテナンスを行うことができる。
【発明を実施するための最良の形態】
【００１２】
以下、本発明にかかる床下取付形給気送風装置の実施の形態を図面に基づいて詳細に説明する。なお、この実施の形態によりこの発明が限定されるものではない。
【００１３】
実施の形態
図１はこの発明に係る床下取付形給気送風装置を含む給気送風システムの系統図である。図２は床下取付形給気送風装置の上部天板を除く断熱構造体と下部箱体の上面側から見た斜視図である。図３は床下取付形給気送風装置の上面側から見た斜視図である。図４はメンテナンスのためにフィルター装置を本体箱体から引き抜いた状態を示す斜視図である。図５はフィルター装置、モーター及び電気配線接続ボックスを本体箱体から取り外した状態を示す斜視図である。図６は床下取付形給気送風装置の平面図である。
【００１４】
図１において、床下取付形給気送風装置１００は建物の床下空間Ｓ２に設置されている。室内空間Ｓ１と床下空間Ｓ２とを隔てる床４には、点検蓋にて閉塞された床下点検口７が設けられている。点検蓋は、床下点検口７から取り外し可能とされており、床下取付形給気送風装置（以降、単に給気送風装置）１００は、この床下点検口７の鉛直下方の床下空間Ｓ２に設置されている。給気送風装置１００の高さは、床下空間Ｓ２の高さより所定量だけ低くされている。そして、点検蓋を開けた際、床下点検口７のすぐ下に給気送風装置１００の上部天板２１が位置する状態とされている。給気送風装置１００は、屋外空間Ｓ４から吸引した給気を室内空間Ｓ１へ吹き出す。
【００１５】
屋外空間Ｓ４と天井裏空間Ｓ３とを隔てる外壁に屋外開口１が形成されている。そして、屋外空間Ｓ４から給気を吸引するための第一ダクト２が屋外開口１と給気送風装置１００との間に配設されている。一方、建物の床４の所定の位置に室内吹出口６が設けられている。そして、給気送風装置１００と室内吹出口６との間に給気を室内空間Ｓ１へ供給するための第二ダクト３が配設されている。第一ダクト２及び第二ダクト３は、塩ビ管等の筒体の周囲に樹脂綿等の断熱材を覆うように設けて構成されている。第一ダクト２及び第二ダクト３の室内に露出する箇所は、これらダクトを覆うように図示しない化粧カバー等が設けられている。
【００１６】
屋外空間Ｓ４に面する側の屋外開口１には、風雨の吹き込みや塵埃や昆虫の侵入を抑制する目的で、防蝶ネットが張設されたウエザーカバー９が装着されている。そしてさらに、塵埃や昆虫の第一ダクト２内部への侵入を抑制する目的で、屋外開口１に続く外壁近傍の第一ダクト２の流路は、他の部分より局部的に流路断面積が広くされ、この部分の流速がおそくなるようにされている。
【００１７】
給気送風装置１００を含む上記系統の給気送風システムは、屋外開口１から室内吹出口６に至る図１に矢印にて示す給気系を形成する（図中、薄墨の矢印は外気を示し、白抜きの矢印は給気送風装置１００にて清浄化された空気を示す）。給気送風装置１００の内部には、この給気系の一部である給気経路が形成されている。
【００１８】
給気送風装置１００は、外殻を構成する本体箱体２０と、本体箱体２０の内部に収納された断熱構造体１６とを有している。本体箱体２０は、さらに、上面を開口とする概略箱状の下部箱体２２と、この下部箱体２２の開口部を閉塞する上部天板２１とから構成されている。下部箱体２２には、第一ダクト２を接続する接続フランジ１４と、第二ダクト３を接続する接続フランジ１５とが設けられている。断熱構造体１６は、下部箱体２２に収納されて、これら接続フランジ１４，１５と連通する給気経路を内部に形成している。そして、この給気経路には、給気経路内の空気の移動を行う送風機２５と、給気経路を流通する空気を濾過して清浄化するフィルター装置１０とが配置されている。
【００１９】
本体箱体２０の下部箱体２２は、鋼板にて作製され、図２に示されるように、上面が開放された概略立方体箱状を成し上部開口にフランジ部を有している。上部天板２１（図２では省略）は、この下部箱体２２のフランジ部に固定ネジにて締着されている。下部箱体２２の内部には、発泡スチロール等の発泡断熱材料にて成形された断熱構造体１６が収容されている。断熱構造体１６は、図２中矢印にて示すように内部に給気経路を形成する。そして、この給気経路上には、送風機２５が設置されるベルマウス１７ｂや、フィルター装置２５が設置されるメンテナンス空間１７ｄが形成されている。
【００２０】
図３から図５に示すように、送風機２５は、モーター２６と、このモーター２６の駆動軸に取り付けられたシロッコファン２７とを有している。送風機２５は、上部天板２１の天板上面のベルマウス１７ｂに対応した位置に形成された送風機挿入口２１ａから駆動軸を垂直にして挿入されて、モーター２６を囲繞するモーター取付板２８ａを固定ネジ２８ｂで締着されて上部天板２１に固定されている。図５に示すように、送風機２５は、メンテナンスの際、固定ネジ２８ｂを取り外すことにより、垂直上方に取り外し可能とされている。送風機２５は、ベルマウス１７ｂ内でシロッコファン２７を回転させて、給気経路内の空気を強制的に移動させる。
【００２１】
また、フィルター装置１０は、上部天板２１の天板上面のメンテナンス空間１７ｄに対応した位置に形成された清掃用開口２１ｂを閉塞するメンテナンスカバー１９のフィルター挿入口１９ａから挿入されて本体箱体２０に取り付けられている。図４に示すように、フィルター装置１０は、メンテナンスの際、垂直上方に引き抜くことにより、本体箱体２０から取り外し可能とされている。清掃用開口２１ｂ（メンテナンス空間１７ｄ）を閉塞するメンテナンスカバー１９は、清掃用開口２１ｂの四隅に設けられた回転式クランプ２３（係合止め構造）により、清掃用開口２１ｂに気密状態に固定されている。メンテナンスカバー１９は、本体箱体２０の内部（メンテナンス空間１７ｄ）を清掃する際、クランプ２３を９０°回転させることにより、本体箱体２０から取り外し可能とされている。
【００２２】
エアーフィルター１２は、塵埃除去エアーフィルターや高性能エアーフィルター等、いくつかのエアーフィルターが積層されて作製され、図５に示すように、フィルター枠１１に挟み込まれている。フィルター枠１１は、樹脂製でセルフヒンジにより開閉できる枠部とメンテナンスカバー１９のフィルター挿入口１９ａより平面積の広い蓋板１３でなる一体成型物であり、枠部にエアーフィルター１２を挟持する。フィルター装置１０は、メンテナンス空間１７ｄに給気経路を横断するように設置されて、給気経路を流通する空気を濾過する。
【００２３】
電気配線接続ボックス３０は、上部天板２１の天板上面の電気配線接続ボックス取付場所２１ｃに固定ネジにより締着されている。電気配線接続ボックス３０の内部には、モーターリード２６ａを始めとする給気送風装置１００に接続される種々配線（本実施の形態においては、送風機２５に接続されるモーター起動用コンデンサーに延びる配線等）やその接続端子が収容されている。図５に示すように、電気配線接続ボックス３０は、例えばモーター２６の交換等といったメンテナンスの際に、固定ネジを取り外すことにより、垂直上方に取り外し可能とされている。
【００２４】
図６において、一点鎖線は、床下点検口７の開口の大きさを示している。モーター取付板２８ａを含む送風機２５のメンテナンス部分（モーター２６及びシロッコファン２７）、フィルター装置１０、回転式クランプ２３を含むメンテナンスカバー１９及び電気配線接続ボックス３０は、すべて本体箱体２０の上部天板２１の床下点検口７に対向する領域の内側に配置されている。
【００２５】
図７は断熱構造体１６の上面側から見た部分分解斜視図である。図８は断熱構造体１６の下面側から見た部分分解斜視図である。図７および図８において、断熱構造体１６は、上部断熱体１７と下部断熱体１８とに上下方向二分割されている。二分割された上部断熱体１７と下部断熱体１８とは、外周部に形成された印籠部１７ｃ、１８ｃを相互に嵌め合わせて印籠結合されている。断熱構造体１６の内部には、図２にて説明したように給気経路が形成されている。この給気経路上には、送風機２５が設置されるベルマウス１７ｂや、フィルター装置２５が設置されるメンテナンス空間１７ｄが形成されている。
【００２６】
メンテナンス空間１７ｄ内には、フィルター装置１０が挿入される際にフィルター装置１０を案内し、挿入の後にはメンテナンス空間１７ｄ内でフィルター装置１０を保持するフィルター保持溝１７ａ，１８ａが形成されている。また、メンテナンス空間１７ｄ底のフィルター保持溝１８ａの接続フランジ１４側（上流側）にはドレイン皿状の保水構造３３が設けられている。この保水構造３３には、給気とともに吸込まれた霧や雪による水が溜まり、送風に晒されることにより蒸発する。反対に、フィルター保持溝１８ａの内部側（下流側）は、受け皿状に形成された受皿部１８ｄが設けられ、シロッコファン２７の回転軸までは水平面とされ、そこからシロッコファン吸込口に位置するベルマウス１７ｄの吸込Ｒ形状の外周部に至る部分までは傾斜面１８ｂとされている。これにより、給気を流通させる良好な給気経路が形成されている。
【００２７】
断熱構造体１６は、二分割された上部断熱体１７と下部断熱体１８とが、印籠部１７ｃ、１８ｃを相互に嵌め合わせて印籠結合されているので、本体外装部が鋼板などで構成されていてもエアー漏れなど発生させることなく良好に給気経路を形成する。また、断熱構造体１６の作用により、比較的暖かい温暖地などでは、冬期の結露防止のために外周部に貼り付けられる断熱材を無くすことができる場合がある。また、完全に無くすことはできなくても、断熱材を必要とする部分を極めて少なくすることができる。
【００２８】
次に給気送風装置１００の据え付け方法について図３を用いて説明する。本体箱体２０の接続フランジ１４、１５が取り付けられてない残る２面の下部側面に断面Ｌ字形の本体取付金具３５が締着されている。この本体取付金具３５は、施工時に据え付け場所において、本体箱体２０に締着される。本体取付金具３５には、ドーナツ形状の防振ゴム３７が取り付けられており、この防振ゴム３７を貫通するアンカーボルトにより、コンクリート面などで成る据え付け場所に固定されている。
【００２９】
次に給気送風装置１００のメンテナンス方法について図４及び図５を用いて説明する。上部天板２１には、上述のように床下点検口７の開口穴に収まる範囲で、モーター取付板２８ａを含む送風機２５のメンテナンス部分（モーター２６及びシロッコファン２７）、フィルター装置１０、回転式クランプ２３を含むメンテナンスカバー１９及び電気配線接続ボックス３０が配置されている。エアーフィルター１２のメンテナンスの場合は、メンテナンスカバー１９の中央部に位置するフィルター装置１０を鉛直上方に引き上げて取り外し、その後、図５で示すようにフィルター枠１１のヒンジ部分を外してフィルター枠１１からエアーフィルター１２を取り出す。そして、掃除機などによりエアーフィルター表面に付着した埃等を取り除く。また、エアーフィルター１２の汚れがひどい場合には新しいエアーフィルターと交換する。その後取り外した場合と逆の手順にてエアーフィルター１２をフィルター枠１１に収め、メンテナンスカバー１９のフィルター挿入口１９ａにフィルター枠１１を挿入して装着する。
【００３０】
次に、フィルター枠１１に付着した後、本体箱体２０内部に落下して溜まった塵埃や昆虫の清掃方法について説明する。清掃頻度はエアーフィルター１２ほど多くないが、例えば一年に２回程度は行なった方が良い。クランプ２３を回転させて、メンテナンスカバー１９を上部天板２１の上方に取り外す。この際、フィルター装置１０はメンテナンスカバー１９から取り外した状態でも取り付けた状態でもどちらでも可能である。これにより、上部天板２１に清掃用開口２１ｂが現れる。そして、この清掃用開口２１ｂから掃除機などのノズルを挿入してメンテナンス空間１７ｄの底部に形成された保水構造３３や受皿部１８ｄに溜まった埃や虫等を吸って清掃することができる。
【００３１】
次に送風機２５のメンテナンスについて説明する。具体的には、送風機２５のモーター２６の交換やシロッコファン２７の清掃である。モーター取付板２８ａを上部天板２１に固定している４本の固定ネジ２８ｂを取り外す。これにより、図５で示すように送風機２５を鉛直上方に取り出すことができる。送風機２５は、モーター２６、シロッコファン２７及びモーター取付板２８ａが一体のまま取り外せるようにされている。そして、その作業は高所作業ではなく、床４に設けられた床下点検口７を開いた状態で、４本の固定ネジ２８ｂを取り外すという簡単な作業で行うことができる。一般に送風機２５は重量が大きいが、それでも容易に且つ安全にメンテナンス作業を行なうことができる。なお、送風機２５を取り外した状態においては、上部断熱体１７のシロッコファン２７の吸込口部分から下部断熱体１８の底面部（受皿部１８ｄ）が見える状態となる。そのため、送風機２５を取り外すことにより給気送風装置１００内の清掃、特に下部断熱体１８の底面部に溜まった塵埃や昆虫を吸い取って清掃することができる。
【００３２】
なお、本実施の形態の給気送風システムにおいては、上記のように屋外開口１付近の吸込み給気の流速が低く抑えられているため、塵埃や昆虫、さらには霧雨等も吸込みにくく、従来のものと比べ第一ダクト２内の汚れも低減する。そのため、面倒な作業であるダクト内清掃の頻度を減らすことができる。例えば、給気風量を１５０ｍ３／ｈとした場合ダクト内径が直径１００ｍｍの場合には、第一ダクト２内の風速は５．３ｍ／Ｓ程度になる。一方、ダクト内径が直径１５０ｍｍの場合は２．４ｍ／Ｓ程度と低減する。一般的に風速が３ｍ／Ｓ以上になると、昆虫等を吸込み易くなり、この値以下だと昆虫、霧雨、雪等の吸込みを抑制することができる。
【００３３】
以上のように本実施の形態の床下取付形給気送風装置１００においては、送風機２５のメンテナンス部分、フィルター装置１０及び電気配線接続ボックス３０が、本体箱体２０の床下点検口７に対向する天板上面２１の床下点検口７の内側の領域に着脱自在に設けられている。このように構成して、比較的高頻度のメンテナンスを必要とするフィルター装置１０を、床下点検口７真下の手の届く位置に設置された給気送風装置１００の上面に着脱可能に配設したので、容易かつ簡単にフィルター装置１０のメンテナンスを行うことができる。この構造により、フィルター装置１０を床下点検口７から真上方向への抜き差しにより脱着することができ、この真上方向の抜き差しでは、フィルター装置１０に付着した汚れや埃が作業者に降り掛かることもなく、衛生的にフィルター装置１０の脱着ができる。さらに、フィルター装置１０が着脱可能に取り付けられている給気送風装置１００の上面は、室内の手の容易に届く床下に設置されているため、高齢者であっても容易かつ簡単手軽にフィルター装置１０のメンテナンスを行うことができる。これにより、給気風量の低下や室内が細菌やカビ等で不衛生な環境になることを抑制することができる。また、送風機２５や電気配線接続ボックス３０のメンテナンス部分も給気送風装置１００の上面に着脱可能に配設したので、１つの床下点検口７から、フィルター装置１０、送風機２５及び電気配線接続ボックス３０の全てのメンテナンスを行うことができる。
【００３４】
また、発泡断熱材料にて作製され本体箱体２０内に収納され上下方向に２分割されて内部に給気経路を形成する断熱構造体１６を備えているので、本体箱体２０内に良好に給気経路を形成するとともに、寒冷対策として必要な断熱材を削減することができる。
【００３５】
さらに、本体箱体２０の清掃するための清掃用開口２１ｂを覆うとともに、本体箱体２０の床下点検口７に対向する天板上面２１の床下点検口７の内側の領域に回転式クランプ２３（係合止め構造）により着脱自在に設けられ、主面にフィルター装置２５が挿入されるフィルター挿入口１９ａが開口されたメンテナンスカバー１９を備えているので、回転式クランプ２３を外すという簡単な作業により、清掃用開口２１ｂを露呈することができ、清掃用開口２１ｂから掃除機などのノズルを挿入して本体箱体２０内部の清掃が容易にできるとともに、フィルター装置２５の支持構造を簡素化することができる。
【００３６】
さらにまた、断熱構造体１６は、給気経路上のメンテナンス空間１７ｄ内にフィルター装置２５を保持するフィルター保持溝１７ａ，１８ａを形成するとともに、このフィルター保持溝１７ａ，１８ａの上流側にドレイン皿状の保水構造３３を形成しているので、給気経路上にフィルター装置２５を容易に保持することができるとともに、フィルター装置２５の上流側に埃や昆虫の溜まる保水構造３３を設けることができ、衛生上優れたものとするとともに清掃を容易とする。
【００３７】
また、本体箱体２０は、概略箱状を成し開口部にフランジ部を有する鋼板製の下部箱体２２と、下部箱体２２の開口部を閉塞する上部天板２１とから構成されているので、鋼板製の下部箱体２２や上部天板２１は、金型を必要としないタレパン加工などで製作することができ、発泡スチロール製の断熱構造体１６だけ金型で製作すればよく、発泡スチロール成形の金型費用は非常に安価であるため開発費用を安く収めることができる。また、送風機部分、電気配線接続ボックス部分、フィルター枠部分は別の換気送風機と共用でき、それが使用できる。
【００３８】
なお、本実施の形態では、室内吹出口６は室内空間Ｓ１に臨む床４に設置されているが、室内吹出口６は床４ではなく例えば壁面の低所に設置されてもよく、さらには壁面の高所まで第二ダクト３を配管しても良いが、第二ダクト３は結露対策のため外周部に断熱工事を行うか、断熱ダクトを使用する必要があるため工事が煩雑になる。
【産業上の利用可能性】
【００３９】
以上のように、本発明にかかる床下取付形給気送風装置は、建物の床下空間に設置されて屋外から吸引した給気を室内へ供給する床下取付形給気送風装置に関するものに有用であり、特に、メンテナンスの容易性を要求される床下取付形給気送風装置に適している。
【図面の簡単な説明】
【００４０】
【図１】この発明に係る床下取付形給気送風装置を含む給気送風システムの系統図である。
【図２】床下取付形給気送風装置の上部天板を除く断熱構造体と下部箱体の上面側から見た斜視図である。
【図３】床下取付形給気送風装置の上面側から見た斜視図である。
【図４】メンテナンスのためにフィルター装置を本体箱体から引き抜いた状態を示す斜視図である。
【図５】フィルター装置、モーター及び電気配線接続ボックスを本体箱体から取り外した状態を示す斜視図である。
【図６】床下取付形給気送風装置の平面図である。
【図７】床下取付形給気送風装置の断熱構造体の上面側から見た部分分解斜視図である。
【図８】床下取付形給気送風装置の断熱構造体の下面側から見た部分分解斜視図である。
【符号の説明】
【００４１】
１  屋外開口
２  第一ダクト
３  第二ダクト
４  床
６  室内吹出口
７  床下点検口
９  ウエザーカバー
１０  フィルター装置
１１  フィルター枠
１２  エアーフィルター
１３  蓋板
１４，１５  接続フランジ
１６  断熱構造体
１７  上部断熱体
１７ａ，１８ａ  フィルター保持溝
１７ｂ  ベルマウス
１７ｃ，１８ｃ  印籠部
１７ｄ  メンテナンス空間
１８  下部断熱体
１８ｂ  傾斜面
１８ｄ  受皿部
１９  メンテナンスカバー
１９ａ  フィルター挿入口
２０  本体箱体
２１  上部天板
２１ａ  送風機挿入口
２１ｂ  清掃用開口
２１ｃ  電気配線接続ボックス取付場所
２２  下部箱体
２３  回転式クランプ（係合止め構造）
２５  送風機
２６  モーター（送風機のメンテナンス部）
２６ａ  モーターリード
２７  シロッコファン（送風機のメンテナンス部）
２８ａ  モーター取付板
２８ｂ  固定ネジ
３０  電気配線接続ボックス
３２  電気配線
３３  保水構造
３５  本体取付金具
３７  防振ゴム
１００  床下取付形給気送風装置
Ｓ１  室内空間
Ｓ２  床下空間
Ｓ３  天井裏空間
Ｓ４  屋外空間
【図１】
2008309356.tif 000003
【図２】
2008309356.tif 000004
【図３】
2008309356.tif 000005
【図４】
2008309356.tif 000006
【図５】
2008309356.tif 000007
【図６】
2008309356.tif 000008
【図７】
2008309356.tif 000009
【図８】
2008309356.tif 000010